(57)【特許請求の範囲】
【請求項１】
カラオケ演奏時に歌詞が表示されるディスプレイを備え、
前記ディスプレイに、演奏予約された複数のカラオケ曲を連続して演奏する連曲モード、または、演奏予約された複数のカラオケ曲を１曲ずつ演奏スタート指示を待って演奏する単曲モードのいずれであるか、および、カラオケ曲の演奏を途中で終了する２コーラスフェードアウトモードであるか否かを表示する単一の演奏モード表示エリアを設け、
該演奏モード表示エリアは、２コーラスフェードアウトモードでないときは連曲モード／単曲モードのいずれであるかを表示し、２コーラスフェードアウトモード且つ連曲モードのときは２コーラスフェードアウトモードである旨を継続的に表示し、２コーラスフェードアウトモードであり且つ単曲モードのときはカラオケ曲の演奏中は２コーラスフェードアウトモードである旨を表示し、カラオケ曲の演奏が終了したのち次のカラオケ曲の演奏が開始されるまでの曲間は単曲モードである旨を表示するカラオケ装置。
【請求項２】
一体型のボディの内部に装置本体、アンプを含む機器を外部から目視できないように収納するとともに、該ボディ正面にメインスピーカを備え、
前記ディスプレイは、前記ボディの上面に水平方向に回動可能に設けられている請求項１に記載のカラオケ装置。
【請求項３】
前記連曲モード、単曲モードおよび２コーラスフェードアウトモードは、前記演奏モード表示エリアにアイコンで表示される請求項１または請求項２に記載のカラオケ装置。
【発明の詳細な説明】
【０００１】
【発明の属する技術分野】
この発明は、歌詞表示用のディスプレイに装置のモードや入力内容が全て表示されるカラオケ装置に関し、特に、客室や宴会場などで移動して使用することができる一体型のカラオケ装置に関する。
【０００２】
【従来の技術】
現在実用化されているカラオケ装置は、ラックに装置本体やアンプを収納し、モニタやスピーカを別体に設置したものが一般的である。しかし、宴会場の舞台や客室など必要なときのみカラオケ装置を設置したい場所では、移動できない据え置き型のカラオケ装置を使用できない問題点があった。
【０００３】
【発明が解決しようとする課題】
このため、前記ラックにモニタやスピーカを搭載し、キャスタを取り付けて可搬型にしたカラオケ装置が実用化されているが、各装置が剥き出しであるため外観が悪いという欠点があった。そこで、外観よく可搬型にするため一体型のボディにカラオケ装置本体やアンプなど全ての機器を収納したカラオケ装置が考えられるが、このように、一体型のボディに全ての機器を収納してしまうと、上記据え置き型のカラオケ装置やラックにキャスタを取り付けたのみの可搬型カラオケ装置のようにカラオケ装置本体やアンプに表示器を設けることができないため、利用者が動作モードやリモコン装置などから入力した内容を確認することができないという欠点があった。また、ボディにこのような表示器を設けたのでは外観が悪くなってしまうし、歌詞を表示するディスプレイに上記表示器と同様の表示エリアを設けたのでは、表示が煩雑になって歌唱者が表示を見にくくなる欠点があった。
【０００４】
この発明は、ディスプレイに動作モードやリモコンなどから入力した内容を全て表示しつつ、ディスプレイを煩雑化しないカラオケ装置、特に、一体型のボディに全ての機器を収納したカラオケ装置を提供することを目的とする。
【０００５】
【課題を解決するための手段】
この出願の請求項１の発明は、カラオケ演奏時に歌詞が表示されるディスプレイを備え、
前記ディスプレイに、演奏予約された複数のカラオケ曲を連続して演奏する連曲モード、または、演奏予約された複数のカラオケ曲を１曲ずつ演奏スタート指示を待って演奏する単曲モードのいずれであるか、および、カラオケ曲の演奏を途中で終了する２コーラスフェードアウトモードであるか否かを表示する単一の演奏モード表示エリアを設け、
該演奏モード表示エリアは、２コーラスフェードアウトモードでないときは連曲モード／単曲モードのいずれであるかを表示し、２コーラスフェードアウトモード且つ連曲モードのときは２コーラスフェードアウトモードである旨を継続的に表示し、２コーラスフェードアウトモードであり且つ単曲モードのときはカラオケ曲の演奏中は２コーラスフェードアウトモードである旨を表示し、カラオケ曲の演奏が終了したのち次のカラオケ曲の演奏が開始されるまでの曲間は単曲モードである旨を表示することを特徴とする。
【０００６】
この出願の請求項２の発明は、一体型のボディの内部に装置本体、アンプを含む機器を外部から目視できないように収納するとともに、該ボディ正面にメインスピーカを備え、前記ディスプレイは、前記ボディの上面に水平方向に回動可能に設けられていることを特徴とする。
【０００７】
この出願の請求項３の発明は、前記連曲モード、単曲モードおよび２コーラスフェードアウトモードは、前記演奏モード表示エリアにアイコンで表示されることを特徴とする。
【０００８】
近年のカラオケ装置は、ディスプレイに歌唱用の歌詞を表示するようになっており、歌唱者はこのディスプレイを見ながら歌唱する。
また、請求項２のカラオケ装置は、装置本体やアンプを収納した一体型のボディ正面にメインスピーカ，リモコン受光部を備えており、このボディ正面を聴衆に向けて使用される。外観を良くするため、装置本体やアンプの動作モードやリモコン装置から入力された内容を表示するための表示器を備えていない。前記メインスピーカはカラオケ演奏音やカラオケ歌唱の音声を聴衆に向けて放音する。リモコン受光部は聴衆が操作するリモコン装置の赤外線信号を受光する。曲番号表示器は、該リモコン装置から入力された曲番号を表示する。カラオケ歌唱者はディスプレイに表示された歌詞を見ながら歌唱する。このディスプレイは、水平方向に回動可能になっており、前記ボディ正面方向に向けると歌唱者は聴衆と一緒に歌うことができ、反対方向に向けると歌唱者は聴衆に向かって歌うことができる。このように、歌唱者の向きが一定しないため、演奏モードなどの動作モードを表示する表示器をボディに表示しても歌唱者が視認できるとは限らない。
【０００９】
そこで、歌唱者が必ず見るディスプレイに動作モードとリモコン装置から入力された内容を表示する。動作モードとは演奏モードやハモリモードなどである。演奏モードとは、カラオケ演奏をどのように進行するかのモードであり、曲にかからわず２番で演奏を終了する２コーラスフェードアウトや、予約されている曲毎にマニュアル操作でスタートさせる単曲モード、予約されている曲を自動的に連続演奏する連曲モードなどである。ハモリモードとは、複数パートのカラオケ曲をどのように歌うかのモードである。これら動作モードは歌唱に直接関係するため、アイコンなどで常時表示する。そして、リモコン装置から入力された内容は、入力される都度所定時間表示する。リモコン装置の入力操作は順次行われるものであるため、同じ表示エリアを用いて入力順に表示することによって、全ての入力内容を表示することができる。
【００１０】
また、前記入力内容の表示時間をその入力内容に応じて変えることにより、その内容を告知するのに必要十分な時間表示して消去することができ、効率的な表示エリアの利用が可能になるとともに、ディスプレイの表示の煩雑化を防ぐことができる。
【００１１】
【発明の実施の形態】
図面を参照してこの発明の実施形態である可搬型通信カラオケ装置について説明する。図１は同カラオケ装置の概略構成図である。図２は同カラオケ装置の正面図である。図３は同カラオケ装置の平面図であり、トップパネルの構成を示す図である。図４は同トップパネルの回動状態を示す図である。
【００１２】
この可搬型通信カラオケ装置は、シェル形のボディ１０の内部に装置本体２，アンプ３，メインスピーカ４をはじめカラオケ演奏に必要な全ての機器を収納しているとともに、ボディ１０上面のトップパネルにディスプレイ５およびコントロールパネル６を有している。ディスプレイ５は液晶マトリクスのカラー表示器である。装置正面に、ステレオのメインスピーカ４、リモコン４７（図６参照）からの赤外線信号を受光するための赤外線受光部１４、赤外線信号を受光したとき点灯する確認用ＬＥＤ１５、および、前記リモコン４７から入力された曲番号を表示する７セグメント表示器１６を有している。このカラオケ装置はこの正面が聴衆に向けて設置される。装置底面には４個の大型キャスタ１１が設けられている。また、装置背面には把手１２，フットステップが設けられており、把手１２を引きまたは押すことにより、あるいは、フットステップを足で押すことによってこのカラオケ装置を移動させることができる。
【００１３】
また、図４に示すように、ディスプレイ５およびコントロールパネル６を含むトップパネルは、水平に時計回り１８０度，反時計回り１８０度の３６０度の範囲で回転可能になっている。これにより、歌唱者は任意の方向にディスプレイ５を向けて歌うことができる。たとえば、ディスプレイ５を正面方向に向けて聞き手と一緒に歌うこともできる。
【００１４】
コントロールパネル６には、キースイッチ群２０および調節ボリューム群２１が形成されている。キースイッチ群２０は、曲番号を入力するテンキー，メモリセットスイッチ，演奏をスタート／ストップするスタート／ストップスイッチ，キーチェンジスイッチ，テンポチェンジスイッチなどを含んでいる。前記リモコン４７には、これらのキースイッチ群と同様のキースイッチ群が設けられており、両キースイッチ群とも同様の機能を有している。調節ボリューム群２１は、モニタスピーカ２３の音量を調節するモニタ音量ボリューム，マイクから入力される音声信号の音量を調節するマイク音量ボリューム，エコー量を調節するエコーコントロールボリュームなどを含んでいる。これらキースイッチ群２０，調節ボリューム群２１は、内部に収納されている装置本体２，コントロールアンプ３のうち、それぞれ制御対象となる機器にケーブルによって接続されている。すなわち、このコントロールパネル６は装置本体２およびコントロールアンプ３を一体化した操作パネルになっている。また、コントロールパネル６と前記装置本体２，コントロールアンプ３との距離が長いため、接続ケーブルはシールドケーブルが用いられ、シールド線はボディにアースされている。
【００１５】
ディスプレイ５にはＬＣＤマトリクスのディスプレイ本体のほかモニタスピーカ２３が設けられている。このモニタスピーカ２３は、メインスピーカ４が装置正面に固定的に設けられているため、回動自在のディスプレイ５に追従してカラオケ歌唱者にカラオケ演奏音を聴かせるために設置されたものである。なお、正面のメインスピーカ４からは伴奏音と歌唱音声が出力され、モニタスピーカ２３からは伴奏音，カラオケ歌唱音声に加えてガイドメロディ音が出力される。これにより、歌い手はガイドメロディによって歌いやすくなり、聞き手にはガイドメロディがないためカラオケ歌唱が上手く聞こえるというメリットがある。
【００１６】
ディスプレイ５はヒンジ部によってコントロールパネル６上で揺動自在に支持されている。ディスプレイ５を閉じると、コントロールパネル６の蓋の機能を果たす。移動中はディスプレイ５を閉じることにより、ＬＣＤマトリクス表示器本体のほかコントロールパネルのキースイッチ群２０，調節ボリューム群２１を保護することができる。
【００１７】
図５は、前記ディスプレイ５の表示エリアを説明する図である。ディスプレイ５は、待機中はブルーバックとなる。また、カラオケ演奏中は全体に静止画の背景映像が表示され、ディスプレイ下部の歌詞表示エリア５０に歌詞が表示される。待機中・カラオケ演奏中にかかわらず、演奏モードおよびハモリモードを示すアイコンが演奏モード表示エリア５１およびハモリモード表示エリア５２に表示されている。演奏モードは、曲にかからわず２番で演奏を終了する２コーラスフェードアウトモード、予約されている曲毎にマニュアル操作でスタートさせる単曲モード、予約されている曲を自動的に連続演奏する連曲モードである。２コーラスフェードアウトモードと単曲モード／連曲モードは重複して設定することができる。２コーラスフェードアウトモードが設定されていないとき、演奏モード表示エリア５１には単曲モード／連曲モードのうち設定されているモードのアイコンが表示される。２コーラスフェードアウトモードが設定されているときは、このモードの表示が優先され、演奏モード表示エリア５１には通常２コーラスフェードアウトアイコンが表示され、単曲モードが設定されているときのみ曲間に単曲モードアイコンが表示される。２コーラスフェードアウトモード時には、連曲モードが設定されていても２コーラスフェードアウトアイコンのみが表示され連曲モードアイコンは表示されない。これは表示エリアを節約するためと、連曲モードであれば格別な操作をしなくても次の曲が自動的に始まるからである。また、ハモリモードとは、複数パートのカラオケ曲をどのように歌うかのモードであり、このモードは重複して設定することができないため、設定されたモードのアイコンがハモリモード表示エリア５２に常時表示される。なお、演奏モード，ハモリモードは、リモコン４７またはコントロールパネル６のキースイッチ群２０の入力操作によって設定される。
【００１８】
さらに、待機中・カラオケ演奏中にかかわらず、リモコン４７またはコントロールパネル６のキースイッチ群２０から上記演奏モード，ハモリモード以外の入力があったときは、その入力内容を入力内容表示エリア５３に所定時間表示する。演奏モード，ハモリモード以外の入力は、たとえば、選曲（曲番号）入力、予約確認入力、テンポコントロール入力、キーコントロール入力、ハモリバランス入力などである。選曲入力がされると、入力された曲番号および該曲番号に対応する曲名が表示される。予約確認入力がされると、現在予約されているカラオケ曲の曲名が順次表示される。テンポコントロール入力、キーコントロール入力、ハモリバランス入力がされると、それぞれ、設定されたテンポ、キー、ハモリバランスが表示される。
【００１９】
図６は同可搬型カラオケ装置の各機器の接続を示すブロック図である。装置本体２において、装置全体の動作を制御するＣＰＵ３０には、バスを介してＲＯＭ３１，ＲＡＭ３２，ハードディスク記憶装置（ＨＤＤ）３７，操作インタフェース３５，通信制御部３６，音源装置３８，音声データ処理部３９，インタフェース４０，文字表示部４５および表示制御部４６が接続されている。操作インタフェース３５には、コントロールパネル６およびリモコン受信部３３が接続され、インタフェース４０には、コントロールアンプ３が接続されている。また、コントロールパネル６はインタフェース３ｂを介してコントロールアンプ３にも接続されている。
【００２０】
ＲＯＭ３１にはこの装置を起動するために必要な起動プログラムなどが記憶されている。この装置の動作を制御するシステムプログラム，アプリケーションプログラムなどはＨＤＤ３７に記憶されており、装置の電源がオンされると上記起動プログラムによってＲＡＭ３２に読み込まれる。ＲＡＭ３２には、該プログラム記憶エリアのほかカラオケ演奏を実行する楽曲データを読み込む実行データ記憶エリアなどが設けられている。また、ＨＤＤ３７は、１ＧＢの記憶容量を有し、３０００〜４０００曲分の楽曲データおよび静止画データを記憶している。通信制御部３６はモデムを含み電話回線を介したセンタとの交信を制御する。通信制御部３６にはモジュラジャック３６ａが接続されている。
【００２１】
音源装置３８は、楽曲データの楽音トラックのデータに基づいて楽音信号を形成する。楽曲データはカラオケ演奏時にＣＰＵ３０によって読み出される。楽音トラックは演奏トラック，ガイドメロディトラックを含む複数トラックで構成されており、音源装置３８はこのデータに基づいて複数パートの伴奏音およびガイドメロディ音からなる楽音信号を並行して形成する。音声データ処理部３９は、楽曲データに含まれる音声データに基づき、指定された長さ，指定された音高の音声信号を形成する。音声データは、バックコーラスなどの音源装置３８で電子的に発生しにくい信号波形をそのままＡＤＰＣＭデータ化して記憶したものである。
【００２２】
音源装置３８が形成した楽音信号および音声データ処理部３９が形成した音声信号はコントロールアンプ３に入力される。コントロールアンプ３にはカラオケ歌唱用のマイク４８，４９が接続されており、これらマイク４８，４９からカラオケ歌唱の音声信号も入力される。コントロールアンプ３はこれらの信号を指示されたゲインで増幅するとともに各信号にリバーブやエコーなどの効果を付与する。伴奏音，ガイドメロディ音，マイク音および全体のゲイン（音量）はコントロールパネル６の操作またはリモコン受信部３３を介したリモコン４７の操作によって指示される。コントロールアンプ３はミキシング部３ａを備えている。ミキシング部３ａは、増幅および効果を付与された伴奏音，マイク音（歌唱音声信号）をメインアンプ４１に出力するとともに、伴奏音，ガイドメロディ音，マイク音をモニタアンプ４２に出力する。メインアンプ４１は入力された信号を電力増幅してメインスピーカ４を駆動し、モニタアンプ４２は入力された信号を電力増幅してモニタスピーカ２３を駆動する。
【００２３】
文字表示部４５は、カラオケ演奏時に、楽曲データから読み出された文字データに基づいて曲名や歌詞などの文字パターンを生成するとともにＣＰＵ３０から入力された演奏モード，ハモリモードのデータに基づいて演奏モード表示エリア５１，ハモリモード表示エリア５２に表示するアイコンパターンを生成する。これらのパターンは表示制御部４６に入力される。表示制御部４６は、ＨＤＤ３７から読み出される静止画データと文字パターン，アイコンパターンを合成しＬＣＤマトリクスのディスプレイ５に出力する。また、文字表示部４５は、リモコン４７やコントロールパネル６のキースイッチ群２０が操作されたとき、その入力内容を表示する文言を合成する。
【００２４】
図７は、同可搬型通信カラオケ装置の表示制御動作を示すフローチャートである。動作開始時にイニシャル設定されている演奏モード，ハモリモードのアイコンを演奏モード表示エリア５１，ハモリモード表示エリア５２に表示する（ｓ１）。こののち、リモコン４７からの入力があるかコントロールパネル６のキースイッチ群２０からの入力があるかを判断する（ｓ２，ｓ３）。リモコンからの入力があった場合には、入力を受け付けたことを告知するため確認用ＬＥＤ１５を１００ｍｓ程度点灯させたのち（ｓ４）、ｓ１０に進む。また、コントロールパネル６のキースイッチ群２０からの入力があった場合には、ｓ３から直接ｓ１０に進む。ｓ１０〜ｓ１３では、上記リモコン４７またはコントロールパネル６のキースイッチ群２０からの入力内容を確認する。ハモリモード入力であれば（ｓ１０）、ハモリモード表示エリア５２に表示されているハモリモード表示アイコンをこの入力に応じて切り換える（ｓ２０）。演奏モード入力であれば（ｓ１１）、演奏モード表示エリア５１に表示されている演奏モード表示アイコンをこの入力に応じて切り換える（ｓ２１）。選曲入力すなわち曲番号の入力であれば（ｓ１２）、入力された曲番号に対応する曲を検索し（ｓ２２）、該当する曲があれば（ｓ２３）、その曲名および曲番号をディスプレイ５の入力内容表示エリア５３に表示する（ｓ２５）。該当する曲がない場合には（ｓ２３）、選曲エラーである旨を入力内容表示エリア５３に表示する（ｓ２６）。曲名・曲番号または選曲エラーのいずれを表示した場合でも５秒後にこの表示を消去する（ｓ２５）。また、予約確認のキー入力がされた場合には（ｓ１３）、ＲＡＭ３２に設定されている予約リストを検索し（ｓ２７）、曲名・曲番号を予約順に５秒ずつ表示し（ｓ２８，ｓ２９）、全ての予約曲の表示を表示し終えたら待機動作にもどる（ｓ３０）。また、その他の入力があればその入力内容を表示し（ｓ３１）、３秒後にこれを消去する（ｓ３２）。その他の入力とは、テンポコントロール入力、キーコントロール入力、ハモリバランス入力などであり、ｓ３１ではこれに応じて設定されたテンポ、キー、ハモリバランスを表示する。
【００２５】
このように、入力された内容に応じて表示時間を変えることにより、全ての入力内容を、その入力内容を確認するために必要最小限の時間だけ表示することができるため、ディスプレイ５の表示が煩雑になることがない。
【００２６】
上記実施形態では、一体型のカラオケ装置について説明したが、カラオケ装置本体，アンプ，モニタ，スピーカなどが別体になったカラオケ装置に適用することもできる。このように動作モードや入力内容を全てモニタに表示することにより、モニタを見ながら歌唱する歌唱者が現在の動作状態を容易に確認することができるようになる。
【００２７】
【発明の効果】
以上のようにこの発明によれば、歌唱者に向けられ、歌詞などが表示されるディスプレイにこれを表示することにより、歌唱者が現在の設定を知ることができ、歌唱の参考にすることができる。
【００２８】
また、ディスプレイにリモコンから入力された全ての内容が表示されるため、動作モードや入力内容を表示する表示器を備えていない一体型の可搬型カラオケ装置でもその入力内容を利用者に確実に告知することができる。
【００２９】
また、入力内容によって表示時間を可変することにより、その入力内容を利用者が確認できる必要十分な時間だけ表示して消去することができ、ディスプレイの表示を煩雑化すことがなくなる。
【図面の簡単な説明】
【図１】この発明の実施形態であるカラオケ装置の概略構成図
【図２】同カラオケ装置の正面図
【図３】同カラオケ装置のトップパネルの構成を示す図
【図４】同カラオケ装置のトップパネルの回転を説明する図
【図５】ディスプレイの表示エリアを説明する図
【図６】同カラオケ装置のブロック図
【図７】同カラオケ装置の動作を示すフローチャート
【符号の説明】
２…カラオケ装置本体、３…コントロールアンプ、６…コントロールパネル
５…ディスプレイ、４７…リモコン、
５０…歌詞表示エリア、５１…演奏モード表示エリア、
５２…ハモリモード表示エリア、５３…入力内容表示エリア
【図１】
0003575195.tif 000002
【図２】
0003575195.tif 000003
【図３】
0003575195.tif 000004
【図４】
0003575195.tif 000005
【図５】
0003575195.tif 000006
【図６】
0003575195.tif 000007
【図７】
0003575195.tif 000008